(57)【特許請求の範囲】
【請求項１】
報告ノード（１１０、８１０、１５１０）によって実行される、無線信号測定の結果を受信者ノード（１２０、８２０、１６２０）へ報告するための方法であって、
前記報告ノード（１１０、８１０、１５１０）において、無線信号測定の前記結果を取得すること（２０２）と、
前記報告ノード（１１０、８１０、１５１０）において、第１の報告変量に対する相異なる使用可能な値と、第２の報告変量に対する相異なる使用可能な値とが、前記無線信号測定の前記結果に対する相異なる使用可能な値に、合同的にマッピングされる合同マッピングであって、前記第１の報告変量に対する前記相異なる使用可能な値は前記無線信号測定の結果の相異なる範囲に対応し、前記第２の報告変量に対する前記相異なる使用可能な値は相異なるデルタ値であって、当該デルタ値によって前記第１の報告変量を用いて報告される測定結果の範囲の要素を増加又は減少させるデルタ値に対応する、合同マッピングを取得すること（２０４）と、
前記無線信号測定の前記結果を、取得した前記合同マッピングを用いて、合同的に当該結果を表す複数の報告値であって、前記第１の報告変量に対する相異なる使用可能な値のうちの１つと前記第２の報告変量に対する相異なる使用可能な値のうちの１つを含んだ前記複数の報告値へマッピングすること（２０６）と、
前記無線信号測定の前記結果を、前記複数の報告値を前記報告ノード（１１０、８１０、１５１０）から前記受信者ノード（１２０、８２０、１６２０）へ送信することによって、前記受信者ノード（１２０、８２０、１６２０）へ報告すること（２０８）と、
を含むことを特徴とする方法。
【請求項２】
前記報告ノード（１１０、８１０、１５１０）が前記無線信号測定の前記結果を、前記合同マッピングを用いて前記複数の報告値にマッピングするか、単一マッピングを用いて単一の報告値にマッピングするかを動的に判定することをさらに含み、前記単一マッピングは、単一の報告変量に対する相異なる使用可能な値を前記無線信号測定の前記結果に対する相異なる使用可能な値にマッピングする、
ことを特徴とする請求項１に記載の方法。
【請求項３】
前記動的な判定は、前記無線信号測定の精度又は品質、前記無線信号測定が実行される、無線条件、無線環境の種類、又は無線配置シナリオに基づいて実行される、
ことを特徴とする請求項２に記載の方法。
【請求項４】
受信者ノード（１２０、８２０、１６２０）によって実行される、報告ノード（１１０、８１０、１５１０）によって報告される無線信号測定の結果を判定するための方法であって、
前記受信者ノード（１２０、８２０、１６２０）において、前記無線信号測定の報告される結果を合同的に表す複数の報告値を受信すること（７０４）であって、前記複数の報告値は、第１の報告変量に対する相異なる使用可能な値のうちの１つと第２の報告変量に対する相異なる使用可能な値のうちの１つとを含み、前記第１の報告変量に対する相異なる使用可能な値と前記第２の報告変量に対する相異なる使用可能な値は、前記無線信号測定の前記報告される結果に対する相異なる使用可能な値に合同的にマッピングされており、前記第１の報告変量に対する前記相異なる使用可能な値は前記無線信号測定の結果の相異なる範囲に対応し、前記第２の報告変量に対する前記相異なる使用可能な値は相異なるデルタ値であって、当該デルタ値によって前記第１の報告変量を用いて報告される測定結果の範囲の要素を増加又は減少させるデルタ値に対応する、前記受信することと、
前記複数の報告値に基づいて１つ以上の動作を実行すること（７０６）と、
を含むことを特徴とする方法。
【請求項５】
前記受信者ノード（１２０、８２０、１６２０）において、前記第１の報告変量に対する相異なる使用可能な値と、前記第２の報告変量に対する相異なる使用可能な値とが、前記無線信号測定の前記報告される結果に対する相異なる使用可能な値に、合同的にマッピングされる合同マッピングを取得すること（７０２）と、
取得した前記合同マッピングを用いて、前記複数の報告値を、前記無線信号測定の前記報告された結果に対する相異なる使用可能な値のうちの１つにマッピングすることと、
前記報告される結果に基づいて前記１つ以上の動作を実行することと、
をさらに含むことを特徴とする請求項４に記載の方法。
【請求項６】
前記第１の報告変量に対する相異なる使用可能な値が、第１の分解能で前記無線信号測定の前記報告される結果に対する相異なる使用可能な値にマッピングされ、前記第２の報告変量に対する相異なる使用可能な値が、前記第１の分解能より高い第２の分解能で、前記無線信号測定の前記報告される結果に対する相異なる使用可能な値にマッピングされる、
ことを特徴とする請求項１から５のいずれか１項に記載の方法。
【請求項７】
前記合同マッピングを用いて、１つ以上の前記報告値を前記無線信号測定の前記報告される結果にマッピングするか、単一マッピングを用いて単一の報告値を前記無線信号測定の前記報告される結果にマッピングするかを動的に判定することをさらに含み、前記単一マッピングは、単一の報告変量に対する相異なる使用可能な値を前記無線信号測定の前記結果に対する相異なる使用可能な値にマッピングする、
ことを特徴とする請求項４から６のいずれか１項に記載の方法。
【請求項８】
前記動的な判定は、前記無線信号測定の精度又は品質、前記無線信号測定が実行される、無線条件、無線環境の種類、又は無線配置シナリオに基づいて実行される、
ことを特徴とする請求項７に記載の方法。
【請求項９】
前記合同マッピングは、前記第１の報告変量に対する第１のマッピングテーブル及び前記第２の報告変量に対する第２のマッピングテーブルにわたって具現化される、
ことを特徴とする請求項１から８のいずれか１項に記載の方法。
【請求項１０】
受信者側のノード（１２０、８２０、１６２０）に無線信号測定の結果を報告するように構成された報告側のノード（１１０、８１０、１５１０）であって、
無線信号測定の前記結果を取得し、
第１の報告変量に対する相異なる使用可能な値と、第２の報告変量に対する相異なる使用可能な値とが、前記無線信号測定の前記結果に対する相異なる使用可能な値に、合同的にマッピングされる合同マッピングであって、前記第１の報告変量に対する前記相異なる使用可能な値は前記無線信号測定の結果の相異なる範囲に対応し、前記第２の報告変量に対する前記相異なる使用可能な値は相異なるデルタ値であって、当該デルタ値によって前記第１の報告変量を用いて報告される測定結果の範囲の要素を増加又は減少させるデルタ値に対応する、合同マッピングを取得し、
前記無線信号測定の前記結果を、取得した前記合同マッピングを用いて、合同的に当該結果を表す複数の報告値であって、前記第１の報告変量に対する相異なる使用可能な値のうちの１つと前記第２の報告変量に対する相異なる使用可能な値のうちの１つを含んだ前記複数の報告値へ、マッピングし、
前記無線信号測定の前記結果を、前記複数の報告値を前記報告側のノード（１１０、８１０、１５１０）から前記受信者側のノード（１２０、８２０、１６２０）へ送信することによって、前記受信者側のノード（１２０、８２０、１６２０）へ報告する、
ように構成されることを特徴とする報告側のノード。
【請求項１１】
請求項２、３、６、又は９のいずれか１項に記載の方法を実行する、
ように構成されることを特徴とする請求項１０に記載の報告側のノード。
【請求項１２】
報告側のノード（１１０、８１０、１５１０）によって報告される無線信号測定の結果を判定するように構成された受信者側のノード（１２０、８２０、１６２０）であって、
前記無線信号測定の報告される結果を合同的に表す複数の報告値を受信し、ここで、前記複数の報告値は、第１の報告変量に対する相異なる使用可能な値のうちの１つと第２の報告変量に対する相異なる使用可能な値のうちの１つとを含み、前記第１の報告変量に対する相異なる使用可能な値と前記第２の報告変量に対する相異なる使用可能な値は、前記無線信号測定の前記報告される結果に対する相異なる使用可能な値に合同的にマッピングされており、前記第１の報告変量に対する前記相異なる使用可能な値は前記無線信号測定の結果の相異なる範囲に対応し、前記第２の報告変量に対する前記相異なる使用可能な値は相異なるデルタ値であって、当該デルタ値によって前記第１の報告変量を用いて報告される測定結果の範囲の要素を増加又は減少させるデルタ値に対応し、
前記複数の報告値に基づいて１つ以上の動作を実行する、
ように構成されることを特徴とする受信者側のノード。
【請求項１３】
請求項４から９のいずれか１項に記載の方法を実行する、
ように構成されることを特徴とする請求項１２に記載の受信者側のノード。
【請求項１４】
報告側のノード（１１０、８１０、１５１０）がユーザ端末であり、受信者側のノード（１２０、８２０、１６２０）が基地局である、ことを特徴とする請求項１０から１３のいずれか１項に記載のノード。
【請求項１５】
ノードの少なくとも１つのプロセッサによって実行されるときに、請求項１から９のいずれか１項に記載の方法を当該ノードに実行させる命令を含んだコンピュータプログラム。
【請求項１６】
請求項１５に記載のコンピュータプログラムを含んだコンピュータ可読記憶媒体。
【発明の詳細な説明】
【技術分野】
【０００１】
（関連出願）
本願は、２０１５年１０月１４日出願の米国仮特許出願第６２／２４１６７６号に対する優先権をを主張するものであり、その全ての内容がここに参照として組み込まれる。
【０００２】
（技術分野）
本開示は、概して、無線信号測定の結果を報告することに関する。
【背景技術】
【０００３】
受信された無線信号において無線測定が実行される。測定は、様々な目的及び用途で使用される。これらは、例えば、測位、無線リソース管理（ＲＲＭ）、モビリティ、自己組織化ネットワーク（ＳＯＮ）、ドライブテストの最小化（ＭＤＴ）を含む。例えば、測位の文脈において、無線ノード（例えば基地局）は、所与のデバイス（例えばユーザ端末（ＵＥ））の位置を判定するために、測位信号において測定を実行する。
【０００４】
いくつかの文脈において、無線信号測定の結果は別のノードに報告され、例えばその報告の受信者がその結果を用いて１つ以上の動作を実行するようにする。例えば、基地局又はＵＥは、測位信号において実行した無線信号測定の結果を、コアネットワークにおける測位サーバへ報告し、測位サーバがＵＥの位置を特定することができるようにしうる。
【０００５】
無線信号測定の結果を報告する既知のアプローチは、所謂単一マッピングアプローチを使用する。このアプローチでは、単一の報告変量に対する相異なる使用可能な値が、無線信号測定の結果として報告される相異なる使用可能な値にマッピングされる。結果を報告するノードは、例えば、無線信号測定の結果を、単一の報告変量のための相異なる使用可能な値のうちの１つにマッピングし、その値を報告しうる。
【０００６】
単一マッピングアプローチは、多くの観点で制限的であることが分かる。例えば、単一マッピングは、測定結果を報告することができる精度又は分解能を固定的に限定する。さらに、単一マッピングは、測定結果として報告可能な値の範囲を制限する。
【発明の概要】
【発明が解決しようとする課題】
【０００７】
ここでの実施形態は、無線ノードによって実行される無線測定の従来の報告を改善する。例えば、１つ以上の実施形態が、無線信号測定の結果を報告するための合同マッピングアプローチを用いる。少なくとも一部の実施形態において、合同マッピングアプローチのこのような使用は、測定報告の精度と範囲との少なくともいずれかを有利に増加させる。測定結果を報告することができる精度又は分解能を固定的に限定する単一マッピングアプローチと比べて、合同マッピングアプローチは、いくつかの実施形態において、報告される測定結果の適合的な分解能を可能としうる。さらに、測定結果として報告可能な値の範囲を固定的に限定する単一マッピングアプローチと比べて、いくつかの実施形態における合同マッピングアプローチは、報告されうる値の範囲の動的な拡張を可能としうる。
【０００８】
この点において、ここで用いられるような合同マッピングアプローチは、第１の報告変量に対する相異なる使用可能な値と、第２の報告変量に対する相異なる使用可能な値とが、無線信号測定の結果に対する相異なる使用可能な値に、合同的に（直接的に又は間接的に）マッピングされる。
【０００９】
より具体的には、いくつかの実施形態は、無線信号測定（例えば測位測定）の結果を受信者ノード（例えば測位サーバ）へ報告するための、報告ノード（例えば基地局又はＵＥ）によって実行される方法を含む。本方法は、報告ノードにおいて無線信号測定の結果を取得することと、報告ノードにおいて合同マッピングを取得することを含む。この合同マッピングは、第１の報告変量に対する相異なる使用可能な値と、第２の報告変量に対する相異なる使用可能な値とが、無線信号測定の結果に対する相異なる使用可能な値に、合同的にマッピングされるマッピングである。本方法は、無線信号測定の結果を、第１の報告変量に対する相異なる使用可能な値のうちの１つ、第２の測定変量に対する相異なる使用可能な値のうちの１つ、又はそれらの両方を含む１つ以上の報告値に、取得された合同マッピングを用いてマッピングすることを含む。また、本方法は、１つ以上の報告値を報告ノードから受信者ノードへ送信することによって、無線信号測定の結果を受信者ノードへ報告することを含む。
【００１０】
他の実施形態は、報告ノードによって報告されるような無線信号測定の結果を判定するための、受信ノードによって実行される方法を含む。本方法は、受信者ノードにおいて、第１の報告変量に対する相異なる使用可能な値のうちの１つと、第２の報告変量に対する相異なる使用可能な値のうちの１つと、その両方とのうちのいずれかを含んだ１つ以上の報告された値を受信することと、１つ以上の報告された値に基づいて１つ以上の動作を実行することとを含む。第１の報告変量に対する相異なる使用可能な値と第２の報告変量に対する相異なる使用可能な値は、（例えば、報告ノードと受信者ノードとの少なくともいずれかにおいて）無線信号測定の報告される結果に対する相異なる使用可能な値に合同的にマッピングされる。
【００１１】
１つの実施形態において、例えば、受信者無線ノードは、第１の報告変量に対する相異なる使用可能な値と、第２の報告変量に対する相異なる使用可能な値とが、無線信号測定の報告される結果に対する相異なる使用可能な値に、合同的にマッピングされる合同マッピングを取得する。この場合、受信者無線ノードは、取得された合同マッピングを用いて、１つ以上の報告された値を、無線信号測定の報告された結果に対する相異なる使用可能な値のうちの１つにマッピングし、報告された結果に基づいて１つ以上の動作を実行しうる。
【００１２】
いくつかの実施形態は、受信者ノードへ無線信号測定の結果を報告する報告ノードを設定するための、設定ノードによって実行される方法を含む。本方法は、合同マッピングを用いて無線信号測定の結果を報告するように報告ノードを設定するための設定情報を生成することと、生成された設定情報を報告ノードへ送信することとを含む。
【００１３】
いくつかの実施形態において、設定ノードは、報告ノードと受信者ノードとの少なくともいずれかと同一である。他の実施形態では、設定ノードは、報告ノード、及び、又は受信者ノードとは別個のノードである。
【００１４】
いくつかの実施形態では、報告ノードは、第１の報告変量に対する相異なる使用可能な値のうちの１つと、第２の報告変量に対する相異なる使用可能な値のうちの１つとを含んだ、複数の報告値を報告する。
【００１５】
上述の実施形態のいずれにおいても、第１の報告変量に対する相異なる使用可能な値のうちの１つが、第１の精度又は分解能で、無線信号測定の結果に対する相異なる使用可能な値へマッピングされうると共に、第２の報告変量に対する相異なる使用可能な値は、第２の精度又は分解能で、無線信号測定の結果に対する相異なる使用可能な値へマッピングされうる。１つのこのような実施形態において、例えば、第２の精度又は分解能は、第１の精度又は分解能より高くされうる。
【００１６】
上述の実施形態のいずれにおいても、第１の報告変量に対する相異なる使用可能な値は、無線信号測定の結果の相異なる使用可能は範囲に対応しうると共に、第２の報告変量に対する相異なる使用可能な値は、第１の報告変量によって報告される結果の範囲内において、無線信号測定の結果の相異なる使用可能な範囲に対応しうる。
【００１７】
代わりに又は追加的に、第１の報告変量に対する相異なる使用可能な値は、無線信号測定の結果の相異なる使用可能な範囲に対応してもよく、第２の報告変量に対する相異なる使用可能な値は、相異なるデルタ値に対応しうる。
【００１８】
上述の実施形態のいずれにおいても、第１の報告変量に対する相異なる使用可能な値は、無線信号測定の相異なる中間結果に対応しうると共に、第２の報告変量に対する相異なる使用可能な値が、それにより、第１の報告変量と共に報告される中間結果を増加させ又は低減させるための、相異なるデルタ値に対応しうる。
【００１９】
代わりに又は追加的に、報告ノードが無線信号測定の結果を、合同マッピングを用いて複数の報告値にマッピングすべきか、単一マッピングを用いて単一の報告値にマッピングすべきかが、動的に判定されうる。この場合、単一マッピングは、単一の報告変量に対する相異なる使用可能な値を、無線信号測定の結果に対する相異なる使用可能な値にマッピングする。
【００２０】
いくつかの実施形態において、この動的判定が、無線信号測定の種類又は目的に基づいて実行される。代わりに又は追加的に、動的判定は、無線信号測定の正確性又は品質に基づいて実行されうる。さらに、動的判定は、代わりに又は追加的に、無線の条件、無線環境の種類、又は無線信号測定が実行される無線配置シナリオに基づいて実行されうる。さらに他の実施形態において、動的判定は、代わりに又は追加的に、受信者ノードの種類に基づいて実効されうる。また別の実施形態では、動的判定が、代わりに又は追加的に、無線信号測定の結果を報告するのに利用可能な送信リソースの量、無線信号測定の結果を報告するのに必要なハーバーヘッドの量、又はその両方に基づいて、実行されうる。
【００２１】
上述の実施形態のいずれにおいても、合同マッピングは、第１の報告変量に対する第１のマッピングテーブル及び第２の報告変量に対する第２のマッピングテーブルにわたって実現されうる。
【００２２】
上述の実施形態のいずれにおいても、無線信号測定は、ロングタームエボリューション（ＬＴＥ）システムにおいて、又はＬＴＥから進化したシステムにおける測位測定でありうる。
【００２３】
上述の実施形態のいずれにおいても、無線信号測定の結果は、無線信号測定を実行すること又は他のノードから結果を受信することによって、取得されうる。
【００２４】
いくつかの実施形態において、報告ノードは、合同マッピングを用いて無線信号測定の結果を報告するように報告ノードを設定するための設定ノードから、設定情報を受信する。報告ノードは、その設定情報に従って自信を設定する。１つの実施形態において、設定情報は、報告ノードが、合同マッピングを用いて無線信号測定の結果を報告すべきかと、報告ノードが代わりに単一マッピングを用いて無線信号測定の結果を報告すべきか（ここで、単一マッピングは、単一の報告変量に対する相異なる使用可能な値を無線信号測定の報告される結果に対する相異なる使用可能な値にマッピングする）を指示する。代わりに又は追加的に、設定情報は、第１の報告変量に対する相異なる使用可能な値と、第２の報告変量に対する相異なる使用可能な値との少なくともいずれかを含みうる。代わりに又は追加的に、設定情報は、報告ノードが合同マッピングを用いて無線信号測定の結果を報告すべき１つ以上の条件を指示しうる。
【００２５】
また、ここでの実施形態は、対応する装置、コンピュータプログラム、そのようなコンピュータプログラムを含んだキャリアを含む。
【００２６】
例えば、実施形態は、無線信号測定の結果を受信者ノードへ報告するように構成された報告ノードを含む。報告ノードは、無線信号測定の結果を取得して、第１の報告変量に対する相異なる使用可能な値と、第２の報告変量に対する相異なる使用可能な値とが、無線信号測定の結果に対する相異なる使用可能な値に合同的にマッピングされる合同マッピングを取得するように構成される。報告ノードは、無線信号測定の結果を、第１の報告変量に対する相異なる使用可能な値のうちの１つと、第２の報告変量に対する相異なる使用可能な値のうちの１つと、その両方とのいずれかを含んだ１つ以上の報告値に、取得されたマッピングを用いてマッピングするように構成される。報告ノードは、１つ以上の報告値を報告ノードから受信者ノードへ送信することによって、受信者ノードへ無線信号測定の結果を報告するように構成される。
【００２７】
１つ以上の実施形態は、報告ノードによって報告されるような無線信号測定の結果を判定するように構成された受信者ノードを含む。受信者ノードは、第１の報告変量に対する相異なる使用可能な値と、第２の報告変量に対する相異なる使用可能な値とが、無線信号測定の報告される結果に対する相異なる使用可能な値に、合同的にマッピングされる合同マッピングを取得するように構成される。受信者ノードは、第１の報告変量に対する相異なる使用可能な値のうちの１つと、第２の報告変量に対する相異なる使用可能な値のうちの１つと、その両方とのいずれかを含んだ１つ以上の報告値を受信するように構成される。受信者ノードは、取得した合同マッピングを用いて、１つ以上の報告値を、無線信号測定の報告された結果に対する、相異なる使用可能な値のうちの１つにマッピングするように構成される。受信者ノードは、報告された結果に基づいて、１つ以上の動作を実行するように構成される。１つ以上の受信者ノードは、報告ノードにおいて実行される上述の方法の１つ以上を実行するように構成される。
【００２８】
１つ以上の実施形態は、無線信号測定の結果を受信者ノードへ報告するための報告ノードを設定するように構成された設定ノード（又は受信者ノード若しくは報告ノード）を含む。設定ノードは、第１の報告変量に対する相異なる使用可能な値と、第２の報告変量に対する相異なる使用可能な値とが、無線信号測定の報告される結果に対する相異なる使用可能な値に合同的にマッピングされる合同マッピングを用いて、無線信号測定の結果を報告するように報告ノードを設定するための設定情報を生成し、生成した設定情報を報告ノードへ送信するように構成される。１つ以上の設定ノード（又は受信者ノード若しくは報告ノード）は、設定ノードにおいて実行される上述の方法の１つ以上を実行するように構成される。
【００２９】
１つ以上の実施形態は、ノードの少なくとも１つのプロセッサによって実行されるときに、そのノードにここで説明される方法を実行させる命令を含んだコンピュータプログラムを含む。
【００３０】
１つ以上の実施形態は、ここで説明されるようなコンピュータプログラムを含んだキャリアを含む。キャリアは、電気信号、光学信号、無線信号、又はコンピュータ可読記憶媒体のいずれかである。
【図面の簡単な説明】
【００３１】
【図１】いくつかの実施形態による、無線信号測定の結果を受信者ノードへ報告するための報告ノードのブロック図である。
【図２】いくつかの実施形態による、報告ノードによって実行される方法の論理フロー図である。
【図３Ａ】いくつかの実施形態による、報告ノードと受信者ノードとのそれぞれにおける合同マッピングのブロック図である。
【図３Ｂ】いくつかの実施形態による、報告ノードと受信者ノードとのそれぞれにおける合同マッピングのブロック図である。
【図４Ａ】様々な実施形態による、様々な例示の合同マッピングのブロック図である。
【図４Ｂ】様々な実施形態による、様々な例示の合同マッピングのブロック図である。
【図４Ｃ】様々な実施形態による、様々な例示の合同マッピングのブロック図である。
【図４Ｄ】様々な実施形態による、様々な例示の合同マッピングのブロック図である。
【図４Ｅ】様々な実施形態による、様々な例示の合同マッピングのブロック図である。
【図５Ａ】いくつかの実施形態による、ＲＳＴＤ測定結果を報告するための合同マッピングを具現化するテーブルである。
【図５Ｂ】いくつかの実施形態による、ＲＳＴＤ測定結果を報告するための合同マッピングを具現化するテーブルである。
【図５Ｃ】いくつかの実施形態による、図５Ａのテーブルを用いてＲＳＴＤ測定結果を報告するための情報要素を示す図である。
【図６Ａ】いくつかの実施形態による、Ｒｘ−Ｔｘ時間差測定結果を報告するための合同マッピングを具現化するテーブルである。
【図６Ｂ】いくつかの実施形態による、Ｒｘ−Ｔｘ時間差測定結果を報告するための合同マッピングを具現化するテーブルである。
【図７】いくつかの実施形態による、受信者ノードによって実行される方法の論理フロー図である。
【図８】いくつかの実施形態による、無線信号測定の結果を受信者ノードへ報告するように報告ノードを設定するための設定ノードを含んだシステムのブロック図である。
【図９】いくつかの実施形態による、設定ノードによって実行される方法の論理フロー図である。
【図１０】いくつかの実施形態による、第１のノードによって実行される方法の論理フロー図である。
【図１１】いくつかの実施形態による、第２のノードによって実行される方法の論理フロー図である。
【図１２】いくつかの実施形態による、第３のノードによって実行される方法の論理フロー図である。
【図１３】いくつかの実施形態による、ＬＴＥシステムのブロック図である。
【図１４】いくつかの実施形態による、ＬＴＥシステムのブロック図である。
【図１５】いくつかの実施形態による、報告ノードのブロック図である。
【図１６】いくつかの実施形態による、受信者ノードのブロック図である。
【図１７】いくつかの実施形態による、設定ノードのブロック図である。
【発明を実施するための形態】
【００３２】
図１は、無線信号測定の結果を報告するための１つ以上の実施形態によるシステム１００を示している。システムは、報告ノード１１０（例えば基地局又はＵＥ）を含む。報告ノード１１０は、無線信号測定（例えば測位測定）の結果１４０を取得するように構成される。報告ノード１１０は、例えば無線信号測定を実際に実行することにより又は他のノードから結果１４０を受信することにより、それを行いうる。報告ノード１１０がどのように測定結果１４０を取得するかによらず、報告ノード１１０は、例えば受信者ノード１２０への１つ以上のメッセージ１３０の無線又は有線での送信により、受信者ノード１２０へその結果１４０を報告する。報告ノード１１０は、例えば、受信者ノード１２０がその報告に基づいて１つ以上の動作又は運用タスクを実行することができるように、それを行いうる。
【００３３】
ここでの１つ以上の実施形態によれば、報告ノード１１０は、受信者ノード１２０へ測定結果１４０を報告するために、単一マッピングではなく、いわゆる合同マッピング１５０を有利に用いる。図２は、この関連で報告ノード１１０によって実行される処理を示している。
【００３４】
図２に示すように、報告ノード１１０における処理は、例えば無線信号測定を実行することによって又は他のノードから結果を受信することによって、無線信号測定の結果１４０を取得すること（ブロック２０２）を含む。処理は、さらに、第１の報告変量に対する相異なる使用可能な値と、第２の報告変量に対する相異なる使用可能な値とが、無線信号測定の結果１４０に対する相異なる使用可能な値に、合同的にマッピングされる合同マッピングを取得すること（ブロック２０４）を含む。合同マッピングは、報告ノード１１０において事前設定されうる。異なる報告変量は、例えば異なる種類の変量でありえ、例えば、第１の変量に対する使用可能な値が第２の変量に対する使用可能な値と異なり、逆の場合も同様である。いずれにしても、処理は、その後に、取得した合同マッピング１５０を用いて、無線信号測定の結果１４０を１つ以上の報告値１６０にマッピングすること（ブロック２０６）を含む。これらの１つ以上の報告値１６０は、第１の報告変量に対する相異なる使用可能な値のうちの１つ、第２の報告変量に対する相異なる使用可能な値のうちの１つ、又はその両方を含む。図１に示すように、例えば、報告値１６０は、単一の報告値１６０Ａ（すなわち、第１又は第２の報告変量のいずれかに対する１つの値）を含んでもよいし、複数の報告値１６０Ａ、１６０Ｂなど（すなわち第１及び第２の報告変量のそれぞれに対する１つの値）を含んでもよい。いずれにしても、報告ノード１１０における処理は、報告ノード１１０から受信者ノード１２０へ１つ以上の報告値１６０を送信することによって、無線信号測定の結果１４０を受信者ノード１２０へ報告することを含む。
【００３５】
図３Ａは、１つ以上の実施形態による報告ノード１１０における合同マッピング１５０を概略的に描画している。図のように、無線信号測定の結果１４０は、ｍ個の相異なる使用可能な値Ｍ1、Ｍ2、...、Ｍmを有する変量Ｍとして表される。同様に、第１の報告変量は、ｘ個の相異なる使用可能な値Ｒ１1、Ｒ１2、...、Ｒ１xを有する変量Ｒ１として表される。そして、第２の報告変量は、ｙ個の相異なる使用可能な値Ｒ２1、Ｒ２2、...、Ｒ２yを有する変量Ｒ２として表される。合同マッピング１５０によれば、Ｒ１に対する相異なる使用可能な値Ｒ１1、Ｒ１2、...、Ｒ１x及びＲ２に対する相異なる使用可能な値Ｒ２1、Ｒ２2、...、Ｒ２yが、Ｍに対する異なる使用可能な値Ｍ1、Ｍ2、...、Ｍmに合同的にマッピングされる。
【００３６】
この効果的なマッピングは、直接的、又は間接的、すなわち、１つ以上の中間変量へのマッピングの関数として又はそれを介しうる。１つ以上の実施形態において、例えば、測定結果Ｍが、まず、実施の測定結果Ｍと同一であってもなくてもよい、報告される結果Ｒへ、マッピングされ又は別の方法で変形される。報告される結果Ｒは、例えば、Ｍの量子化された又は概数で表されたバージョンでありうる。この報告される結果Ｒは、その後、第１の報告変量Ｒ１及び第２の報告変量Ｒ２に合同的にマッピングされる。代わりに、測定結果Ｍを報告される結果Ｒへ最初に変形せずに、合同マッピング１５０は、測定結果Ｍを、第１の報告変量Ｒ１及び第２の報告変量Ｒ２へ直接マッピングしてもよい。
【００３７】
１つ以上の実施形態において、合同マッピングは、測定結果Ｍに対するｍ個の使用可能な値の全集合（又は、報告される結果Ｒに対する使用可能な値の全集合）が、第１の報告変量Ｒ１及び第２の報告変量Ｒ２の両方の合同的な使用を通じてのみ表されることを意味する。いくつかの実施形態において、例えば、（例えば、第１の範囲内又は精度内の）第１の部分集合における測定結果Ｍに対するｍ１個の使用可能な値のいずれかの報告が、（第２の報告変量Ｒ２に対する相異なる使用可能な値のうちの１つを報告することなく）第１の報告変量Ｒ１に対する相異なる使用可能な値のうちの１つを報告することを要求する。いくつかの実施形態において、例えば、（例えば、第２の範囲内又は精度内の）第２の部分集合における測定結果Ｍに対するｍ２個の使用可能な値のいずれかの報告が、（第１の報告変量Ｒ１に対する相異なる使用可能な値のうちの１つを報告することなく）第２の報告変量Ｒ２に対する相異なる使用可能な値のうちの１つを報告することを要求する。しかしながら、別の実施形態では、測定結果Ｍに対するｍ個の使用可能な値のうちのいずれか又はいくつかを報告することは、第１の報告変量Ｒ１に対する相異なる使用可能な値のうちの１つと第２の報告変量Ｒ２に対する相異なる使用可能な値のうちの１つとの両方を合同的に報告することを必要とする。
【００３８】
したがって、概して、いくつかの実施形態における報告ノード１１０は、無線信号測定の結果１４０を、その結果１４０を合同的に表す複数の報告値１６０へマッピングしうる。複数の報告値は、第１の報告変量に対する相異なる使用可能な値のうちの１つと、第２の報告変量に対する相異なる使用可能な値のうちの１つを含む。報告ノード１１０は、１つ以上の条件に基づいて選択的にこれを行ってもよいし、いくつかの測定結果値を報告するためのみであって他のためではなく、これを行ってもよい。１つ以上の実施形態において、例えば、報告ノード１１０は、サブセットの相異なる取りうる測定結果値のうちの１つを報告するために、測定結果１４０を単一の報告値１６０にマッピングするが、異なるサブセットの相異なる取りうる測定結果のうちの１つを報告するために、測定結果１４０を複数の報告値１６０へ合同的にマッピングする。
【００３９】
例えば、第１の報告変量に対する相異なる使用可能な値が、第１の精度（又は分解能）で、無線信号測定の結果１４０に対する相異なる使用可能な値にマッピングされ、第２の報告変量に対する相異なる使用可能な値が、第２の精度（又は分解能）で、無線信号測定の結果１４０に対する相異なる使用可能な値にマッピングされる実施形態について検討する。いくつかの実施形態において、第２の精度は、第１の精度より細かい、すなわち、第２の精度において、報告される結果に対する隣接する値間のステップが、第１の精度において、報告される結果に対する隣接する値間のステップより小さい。第２の精度が第１の精度より細かい場合、報告ノード１１０は、測定結果値の１つを、第１の報告変量に対する相異なる使用可能な値のうちの１つ又は第２の報告変量に対する相異なる使用可能な値のうちの１つの形式で単一の報告される値１６０へマッピングすることのみによって、第１の精度でその結果値を選択的に報告しうる。一方で、報告ノード１１０は、測定結果値の１つを、第１の報告変量に対する相異なる使用可能な値のうちの１つ及び第２の報告変量に対する相異なる使用可能な値のうちの１つの形式で複数の報告される値１６０へ合同的にマッピングすることによって、第２の精度でその結果値を選択的に報告しうる。
【００４０】
これらの又は他の実施形態において、第１の報告変量に対する相異なる使用可能な値は、無線信号測定の相異なる中間結果に対応してもよく、また、第２の報告変量に対する相異なる使用可能な値は、それによって第２の報告変量を用いて報告される中間結果を増加または低減する、相異なるデルタ値に対応しうる。例えば、中間結果は、測定結果に対する相異なる使用可能な整数値に対応してもよく、相異なるデルタ値は、第１の報告変量を用いて報告される整数値に適用されるべき相異なる端数の増分値又は減少値に対応してもよい。
【００４１】
また別の実施形態では、報告ノード１１０は、無線信号測定の結果を、第１の報告変量に対する相異なる使用可能な値のうちの１つ又は第２の報告変量に対する相異なる使用可能な値のうちの１つを含んだ単一の報告値１６０にマッピングする。１つのこのような実施形態において、例えば、第１の報告変量に対する相異なる使用可能な値が、第１の範囲内の無線信号測定の結果に対する相異なる使用可能な値にマッピングされ、第２の報告変量に対する相異なる使用可能な値が、第１の範囲を（第１の範囲の上に又は下に）拡張するために、第２の範囲内の無線信号測定の結果１４０に対する相異なる使用可能な値にマッピングされる。
【００４２】
図４Ａ〜図４Ｅは、１つ以上の実施形態による、より詳細な合同マッピングを図解している。
【００４３】
図４Ａの合同マッピングに示すように、第１の報告変量Ｒ１に対する相異なる使用可能な値が、値の集合４０１（Ｒ１1、Ｒ１2、...）として示されている。この集合４０１における値は、集合４０３Ａ（例えばＭ1、Ｍ2）として示される測定結果に対する相異なる使用可能な値Ｍにマッピングされる。さらに、第２の報告変量Ｒ２に対する相異なる使用可能な値が、値の集合４０２（例えばＲ２1、Ｒ２2、...）として示されている。この集合４０２における値は、集合４０３Ｂ（例えばＭ3、Ｍ4）として示される測定結果に対する他の相異なる使用可能な値Ｍにマッピングされる。
【００４４】
図４Ｂは、このようなＲ１、Ｒ２とＭとの間の直接マッピングではなく、Ｒ１、Ｒ２とＭを、Ｒ１、Ｒ２と（Ｍの関数として導出され又は決定される）報告される結果Ｒとの間のマッピングとして間接的にマッピングする間接マッピングを図解している。具体的には、図のように、第１の報告変量Ｒ１に対する相異なる使用可能な値（Ｒ１1、Ｒ１2）の集合４０１は、それぞれ、報告される結果Ｒに対する相異なる使用可能な値（Ｒ1、Ｒ2）の集合４０４Ａにマッピングされる。さらに、第２の報告変量Ｒ２に対する相異なる使用可能な値（Ｒ２1、Ｒ２2）の集合４０２は、それぞれ、報告される結果Ｒに対する相異なる使用可能な値（Ｒ3、Ｒ4）の集合４０４Ｂにマッピングされる。
【００４５】
いくつかの実施形態において、集合４０３Ｂ及び４０４Ｂは、それぞれ、集合４０３Ａ又は４０４Ａ内の値の範囲外の測定結果又は報告される結果値を含む。この場合、集合４０３Ｂ及び４０４Ｂは、集合４０３Ａ及び４０４Ａの範囲を拡張する。別の例では、集合４０３Ｂ及び４０４Ｂは、より高い分解能を有する使用可能な値を定義するために、それぞれ、集合４０３Ａ及び４０４Ａにおける値の範囲内に点在する。
【００４６】
１つ以上の実施形態において、例えば、第１の報告変量（例えば、図４Ａの集合４０１）に対する相異なる使用可能な値は、第１の範囲（例えば図４Ａの４０３Ａ）内の無線信号測定の結果に対する相異なる使用可能な値にマッピングされ、第２の報告変量に対する相異なる使用可能な値（例えば、図４Ａの４０２）が、第１の範囲を拡張するために、第２の範囲（例えば図４Ａの４０３Ｂ）内の無線信号測定の結果に対する相異なる使用可能な値にマッピングされる。
【００４７】
図４Ｃの合同マッピングにおいて示される他の実施形態では、異なる報告変量が、それぞれ取りうる測定結果値４０６の範囲をマッピングする。このように、測定結果値（Ｍ）は、取りうる測定値のスペクトル内にあり、（例えば集合４０１の）報告変量はこのスペクトルを表す。スペクトルは、１つ以上の集合４０６における他のスペクトルの１つに関して、連続的（例えば、Ｍ2＝Ｍ5又はＭ3）でありうる。これは、例えば、取りうる測定結果の連続スペクトルを提供しうる。
【００４８】
図４Ｄの合同マッピングに示すように、第１の報告変量が取りうる複数の測定結果値（又はこれに代えて１つの取りうる測定結果値）の範囲を表し、第２の報告変量は、（例えば、第１の報告変量の１つと第２の報告変量の１つを合成することを通じて測定結果を導出することによって）測定結果値を決定するように、第１の報告変量に関して実行されるべき関数または操作に対応する。
【００４９】
例えば、図４Ｄの合同マッピングに関して、集合４０２内の１つの報告変量が、集合４０７（又は測定結果の範囲の要素）における測定結果を増加させ又は低減させるために、集合４０８におけるデルタ値として表される。実際、１つの実施形態において、集合４０８のデルタ値は、４０１における報告変量によって報告される測定結果の範囲の下限要素又は上限要素を増やし又は減らし、例えば、それにより、そのデルタ値の適用の結果の範囲が、測定結果Ｍが存在する、報告される範囲を構成する。集合４０１からのＲ１1が測定結果Ｍが範囲Ｍ1≦Ｍ≦Ｍ2の範囲内にあることを報告する場合、例えば、集合４０２からのＲ２1の報告は、範囲Ｍ1≦Ｍ≦Ｍ2の下限要素がＲ２1によって報告されるデルタ値Δ1だけ増加されるべきことを意味し、この結果、測定結果ＭがＭ1＋Δ1≦Ｍ≦Ｍ2の範囲内にあることが報告される。この方法では、増加又は低減が、報告される測定結果の精度を調整する。
【００５０】
当業者は、様々な実施形態における合同マッピングが、２つより多くの種類の報告変量を含みうることを理解するだろう。さらに、当業者は、様々な実施形態において、報告変量が、例えば複数のテーブル（例えば図４Ｅのテーブル４１０及び図４Ｅのテーブル４１１）として、組み合わせでそれらが合同マッピング（例えば合同マッピング４１２）を表し又は対応するように、分離して記憶され又は表現されることを理解するだろう。したがって、１つ以上の実施形態において、合同マッピングは、第１の報告変量に対する第１のマッピングテーブル（例えば図４Ｅのテーブル４１０）及び第２の報告変量に対する第２のマッピングテーブル（例えば図４Ｅのテーブル４１１）に跨って具現化される。
【００５１】
この点、図５Ａ〜図５Ｃは、図４Ｄに示される合同マッピング手順の文脈での２つの例示のテーブルを示している。この例では、報告されるべき無線信号測定は、参照信号時間差（ＲＳＴＤ）測定である。ＲＳＴＤ測定結果を報告するために使用される合同マッピングは、図５Ａに示す第１のテーブルと図５Ｂに示す第２のテーブルとの範囲内で具現化される。図５Ａは、第１の報告変量に対する相異なる使用可能な値が、値｛ＲＳＴＤ＿００００、ＲＳＴＤ＿０００１、...、ＲＳＴＤ＿１２７１０、及びＲＳＴＤ＿１２７１１｝を含むことを示している。第１の報告変量に対する相異なる使用可能な値は、ＲＳＴＤ測定結果の（Ｔｓの単位で表される）相異なる使用可能な範囲を報告する。具体的には、第１の報告変量に対する値ＲＳＴＤ＿０００１は、範囲−１５３９１≦ＲＳＴＤ＜−１５３８６内の（図５Ａにおいて単純に「ＲＳＴＤ」と表される）ＲＳＴＤ測定結果を報告し、一方で、値ＲＳＴＤ＿１２７１０は、範囲１５３８６≦ＲＳＴＤ＜１５３９１内のＲＳＴＤ測定結果を報告する。図５Ａは、いくつかの実施形態において、３ＧＰＰ  ＴＳ３６．１３３  Ｖ１３．１．０（２０１５年１０月２日）におけるテーブル９．１．１０．３−１として示されるＲｅｌ−９のＲＳＴＤ報告マッピングに対応しうる。この場合、図５Ａのテーブルからの値は、図５Ｃに示される情報要素を用いたロングタームエボリューション（ＬＴＥ）測位プロトコル（ＬＰＰ）を介して報告されうる（３ＧＰＰ  ＴＳ３６．３５５  Ｖ１２．４．０（２０１５年３月）参照）。具体的には、図５Ｃの情報要素におけるフィールドｒｓｔｄが、特定の隣接セルとＲＳＴＤ参照セルとの間の相対的なタイミング差を特定する。
【００５２】
図５Ｂは、第２の報告変量に対する相異なる使用可能な値が、値｛ＲＳＴＤｄｅｌｔａ＿０、ＲＳＴＤｄｅｌｔａ＿１、...、ＲＳＴＤｄｅｌｔａ＿４、及びＲＳＴＤｄｅｌｔａ＿５｝を含むことを示している。第２の報告変量に対する相異なる使用可能な値は、（Ｔｓの単位で表される）相異なる使用可能なデルタ数量を報告する。具体的には、第２の報告変量に対する値ＲＳＴＤｄｅｌｔａ＿０は、＋１のデルタ数量を報告し、一方で、値ＲＳＴＤｄｅｌｔａ＿５は、＋０．５のデルタ数量を報告する。
【００５３】
この例によれば、図５Ｂのテーブルに従って報告されるデルタ数量は、図５Ａのテーブルに従って報告されるＲＳＴＤ測定結果の範囲の下限要素を増加させるものである。デルタ数量の適用の結果としての範囲は、ＲＳＴＤ測定結果が存在する、報告される範囲を構成する。例えば、図５ＡのテーブルからのＲＳＴＤ＿６３５４は−２≦ＲＳＴＤ＜−１のＲＳＴＤ測定結果を報告する。ＲＳＴＤｄｅｌｔａ＿５がＲＳＴＤ＿６３５４と共に報告される場合、報告される範囲の下限要素、すなわち、−２が、ＲＳＴＤｄｅｌｔａ＿５によって報告されるデルタ数量、すなわち＋０．５だけ増加されるものである。この＋０．５デルタ数量の適用は、報告された量（ＲＳＴＤ＿６３５４、ＲＳＴＤｄｅｌｔａ＿５）が、範囲−１．５≦ＲＳＴＤ＜−１内のＲＳＴＤ測定結果を報告することを意味する。報告ノード１１０は、それにより、ＲＳＴＤ測定結果＝−１．５Ｔｓを受信者ノード１２０へ報告するために、量（ＲＳＴＤ＿６３５４、ＲＳＴＤｄｅｌｔａ＿５）を報告しうる。この例に基づいて、図５Ａのテーブルから報告される値（すなわち、ＲＳＴＤ＿６３５４）が基準値として参照されうると共に、図５Ｂのテーブルから報告される値（すなわち、ＲＳＴＤｄｅｌｔａ＿５）が相対値として参照されうる。
【００５４】
図６Ａ〜図６Ｂは、ＵＥ  Ｒｘ−Ｔｘ時間差測定の文脈で同様の例を図解している。ＵＥ  Ｒｘ−Ｔｘ時間差測定結果を報告するために使用される合同マッピングは、図６Ａに示す第１のテーブル及び図６Ｂに示す第２のテーブルの範囲内で具現化される。図６Ａは、第１の報告変量に対する相異なる使用可能な値が、値｛ＲＸ−ＴＸ＿ＴＩＭＥ＿ＤＩＦＦＥＲＥＮＣＥ＿００００、ＲＸ−ＴＸ＿ＴＩＭＥ＿ＤＩＦＦＥＲＥＮＣＥ＿０００１、...、ＲＸ−ＴＸ＿ＴＩＭＥ＿ＤＩＦＦＥＲＥＮＣＥ＿４０９４、及びＲＸ−ＴＸ＿ＴＩＭＥ＿ＤＩＦＦＥＲＥＮＣＥ＿４０９５｝を含むことを示している。第１の報告変量に対する相異なる使用可能な値は、Ｒｘ−Ｔｘ時間差測定結果の（Ｔｓの単位で表される）相異なる使用可能な範囲を報告する。具体的には、第１の報告変量に対する値ＲＸ−ＴＸ＿ＴＩＭＥ＿ＤＩＦＦＥＲＥＮＣＥ＿０００１は、範囲２≦ＴUE Rx-Tx＜４内の（図６Ａにおいて、単純に「ＴUE Rx-Txと表される）Ｒｘ−Ｔｘ時間差測定結果を報告し、一方で、値ＲＸ−ＴＸ＿ＴＩＭＥ＿ＤＩＦＦＥＲＥＮＣＥ＿４０９４は、範囲２０４６４≦ＴUE Rx-Tx＜２０４７２内のＲｘ−Ｔｘ時間差測定結果を報告する。図６Ａは、いくつかの実施形態において、３ＧＰＰ  ＴＳ３６．１３３  Ｖ１３．１．０（２０１５年１０月２日）におけるテーブル９．１．９．２１として示されるＲｅｌ−９のＲｘ−Ｔｘ報告マッピングに対応しうる。
【００５５】
図６Ｂは、第２の報告変量に対する相異なる使用可能な値が、値｛Ｒｘ−Ｔｘ＿ｄｅｌｔａ＿０及びＲｘ−Ｔｘ＿ｄｅｌｔａ＿１｝を含むことを示している。第２の報告変量に対する相異なる使用可能な値は、（Ｔｓの単位で表される）相異なる使用可能なデルタ数量を報告する。具体的には、第２の報告変量に対する値Ｒｘ−Ｔｘ＿ｄｅｌｔａ＿０は、＋０．５のデルタ数量を報告し、一方で、値Ｒｘ−Ｔｘ＿ｄｅｌｔａ＿１は、＋１のデルタ数量を報告する。
【００５６】
この例によれば、図６Ｂのテーブルに従って報告されるデルタ数量は、図６Ａのテーブルに従って報告されるＲｘ−Ｔｘ時間差測定結果の下限要素を増加させるものである。このデルタ数量の適用の結果としての範囲は、Ｒｘ−Ｔｘ時間差測定結果が存在する、報告される範囲を構成する。例えば、図６ＡのテーブルからのＲＸ−ＴＸ＿ＴＩＭＥ＿ＤＩＦＦＥＲＥＮＣＥ＿０００１は、２≦ＴUE Rx-Tx＜４のＲｘ−Ｔｘ時間差測定結果を報告する。Ｒｘ−Ｔｘ＿ｄｅｌｔａ＿１がＲＸ−ＴＸ＿ＴＩＭＥ＿ＤＩＦＦＥＲＥＮＣＥ＿０００１と共に報告される場合、報告される範囲の下限要素、すなわち、２が、Ｒｘ−Ｔｘ＿ｄｅｌｔａ＿１によって報告されるデルタ数量、すなわち＋１だけ増加されるものである。この＋１デルタ数量の適用は、報告された量（ＲＸ−ＴＸ＿ＴＩＭＥ＿ＤＩＦＦＥＲＥＮＣＥ＿０００１、Ｒｘ−Ｔｘ＿ｄｅｌｔａ＿１）が、範囲３≦ＲＳＴＤ＜４内のＲｘ−Ｔｘ時間差測定結果を報告することを意味する。報告ノード１１０は、それにより、Ｒｘ−Ｔｘ時間差測定結果＝３Ｔｓを受信者ノード１２０へ報告するために、量（ＲＸ−ＴＸ＿ＴＩＭＥ＿ＤＩＦＦＥＲＥＮＣＥ＿０００１、Ｒｘ−Ｔｘ＿ｄｅｌｔａ＿１）を報告しうる。この例に基づいて、図６Ａのテーブルから報告される値（すなわち、ＲＸ−ＴＸ＿ＴＩＭＥ＿ＤＩＦＦＥＲＥＮＣＥ＿０００１）が基準値として参照されうると共に、図６Ｂのテーブルから報告される値（すなわち、Ｒｘ−Ｔｘ＿ｄｅｌｔａ＿１）が相対値として参照されうる。
【００５７】
いくつかの実施形態では合同マッピングが常に使用され、その一方で、別の実施形態では、それは（例えば所定の環境において単一マッピングアプローチに戻るように）選択的に用いられる。
【００５８】
したがって、１つ以上の実施形態において、報告ノード１１０の方法は、報告ノード１１０が、無線信号測定の結果を、合同マッピングを用いて１つ以上の報告値にマッピングすべきか、単一マッピングを用いて単一の報告値にマッピングすべきかを、動的に判定することをさらに含む。この点で、単一マッピングは、単一の報告変量に対する相異なる使用可能な値を、無線信号測定の結果に対する相異なる使用可能な値へマッピングする。第１の例として、動的な判定が、無線信号測定の種類又は目的、例えば、測定がＲＳＴＤであるか、測定が即位のための測定であるか、測定が屋内測位のためであるか、又は、測定が緊急呼のためであるか、に基づいて実行される。
【００５９】
第２の例として、動的な判定が、無線信号測定の精度又は品質に基づいて実行されうる。第３の例として、動的な判定が、無線信号測定が実行される、無線条件、無線環境の種類、又は無線配置シナリオに基づいて実行される。第４の例として、動的な判定が、受信者ノードの種類（例えば、受信者ノードがＵＥであるかネットワークノードであるか）に基づいて実行される。第５の例として、動的な判定が、無線信号測定の結果を報告するのに利用可能な送信リソースの量、無線信号測定の結果を報告するのに必要なオーバーヘッドの量、又はその両方に基づいて実行される。さらに、上述の例の１つ以上が、動的な判定が要素の組み合わせに基づいて実行されるように組み合わされてもよい。
【００６０】
いくつかの実施形態は、受信者ノード１２０によって実行される、報告ノード１１０によって報告されるような無線信号測定の結果を判定するための対応する方法を含む。図７に示すように、本方法は、受信者ノード１２０において、第１の報告変量に対する相異なる使用可能な値のうちの１つ、第２の報告変量に対する相異なる使用可能な値のうちの１つ、又はその両方を含んだ、１つ以上の報告値１６０を受信すること（ブロック７０４）を含む。第１の報告変量に対する相異なる使用可能な値と、第２の報告変量に対する相異なる使用可能な値は、無線信号測定の報告される結果（例えばＲ）に対する相異なる使用可能な値に、合同的にマッピングされる。本方法は、１つ以上の報告値１６０に基づいて、１つ以上の動作を実行すること（ブロック７０６）を含む。
【００６１】
また、受信者ノード１２０は、いくつかの実施形態において、報告ノード１１０における合同マッピング１５０に対応する合同マッピング１７０を取得する（ブロック７０２）。いくつかの実施形態では、合同マッピング１５０及び合同マッピング１７０は同一であり、他の場合にはそれらは異なる。いくつかの実施形態において、例えば、受信者ノード１１０における合同マッピング１７０は、図３Ｂに示される。図のように、第１の報告変量に対する相異なる使用可能な値Ｒ１と、第２の報告変量に対する相異なる使用可能な値Ｒ２は、無線信号測定の報告される結果に対する相異なる使用可能な値Ｒに、合同的にマッピングされる。しかしながら、合同マッピング１７０の特定の形式によらず、受信者ノード１２０は、合同マッピング１７０を用いて、１つ以上の報告値１６０を、報告結果に対する相異なる使用可能な値のうちの１つにマッピングしうる。そして、受信者ノード１２０は、報告値１６０と（例えば合同マッピングアプローチから導出されるような）報告結果との少なくともいずれかに基づいて１つ以上の動作を実行しうる。
【００６２】
例えば、１つ以上の上述の実施形態において、１つ以上の報告値１６０は、無線信号測定の報告される結果を共に表す複数の報告値１６０を含む。複数の報告値１６０は、第１の報告変量に対する相異なる使用可能な値のうちの１つと、第２の報告変量に対する相異なる使用可能な値のうちの１つを含む。
【００６３】
１つ以上の実施形態において、第１の報告変量に対する相異なる使用可能な値は、第１の精度で無線信号測定の報告結果に対する相異なる使用可能な値にマッピングされる。第２の報告変量に対する相異なる使用可能な値は、第２の精度で無線信号測定の報告結果に対する相異なる使用可能な値にマッピングされる。例えば、第２の精度は、第１の精度より細かい。
【００６４】
１つ以上の実施形態において、第１の報告変量に対する相異なる使用可能な値は、無線信号測定の相異なる中間結果を報告し又はこれに対応し、また、第２の報告変量に対する相異なる使用可能な値は、それによって受信者ノードが第１の報告変量を用いて報告される中間結果を増加または低減するべき、相異なるデルタ値を報告し又は対応する。
【００６５】
１つ以上の実施形態では、１つ以上の報告値は、第１の報告変量に対する相異なる使用可能な値のうちの１つ又は第２の報告変量に対する相異なる使用可能な値のうちの１つである単一の報告値を含む。マッピングは、単一の報告値を無線信号測定の報告される結果にマッピングすることを含む。
【００６６】
１つ以上の実施形態において、第１の報告変量に対する相異なる使用可能な値が、第１の範囲内の無線信号測定の報告される結果に対する相異なる使用可能な値にマッピングされ、第２の報告変量に対する相異なる使用可能な値が、第１の範囲を拡張するために、第２の範囲内の無線信号測定の報告される結果に対する相異なる使用可能な値にマッピングされる。
【００６７】
１つ以上の実施形態において、受信者ノード１２０において実行される方法は、合同マッピングを用いて、１つ以上の報告値を無線信号測定の報告される結果へマッピングするか、単一マッピングを用いて、単一の報告値を無線信号測定の報告される結果へマッピングするかを動的に判定することをさらに含む。単一マッピングは、単一の報告変量に対する相異なる使用可能な値を、無線信号測定の結果に対する相異なる使用可能な値へマッピングする。動的な判定は、上述のように、１つ以上の要素又は要素の組み合わせに基づく。例えば、動的な判定が、無線信号測定の種類又は目的に基づいて実行される。
【００６８】
１つ以上の実施形態において、無線信号測定は測位測定であり、ここで、１つ以上の動作を実行することは、測位測定が実行されるノードの位置を判定することを含む。
【００６９】
１つ以上の実施形態において、受信者ノード１２０は、合同マッピングに基づいて、受信した報告変量を解釈する。
【００７０】
いくつかの実施形態は、無線信号測定の結果を受信者ノード１２０に報告するための報告ノード１１０を設定するための設定ノードを含む。図８は、この点において、設定ノード８６０を含んだ例示のシステムを示している。設定ノード８６０は、（例えば、設定情報８８０を報告ノード１１０へシグナリングすることにより）報告ノード１１０を設定するように構成される。
【００７１】
図９は、この点での例示の方法を示す。本方法は、第１の報告変量に対する相異なる使用可能な値と、第２の報告変量に対する相異なる使用可能な値とが、無線信号測定の報告される結果に対する相異なる使用可能な値に合同的にマッピングされる合同マッピングを用いて、無線信号測定の結果を報告するように報告ノード１１０を設定するための設定情報を生成すること（ブロック９０２）を含む。また、本方法は、報告ノードへ生成した設定情報を送信すること（ブロック９０４）を含む。
【００７２】
当業者は、設定ノード８６０が、又は設定ノード８６０によって実行される方法が、報告ノード（例えば報告ノード８１０）と受信者ノード（例えば受信者ノード８１０）との少なくともいずれか又はここで説明される他の報告ノード若しくは受信者の０度によって実装可能であることを理解するだろう。
【００７３】
１つ以上の実施形態において、設定情報は、第１の報告変量に対する相異なる使用可能な値と、第２の報告変量に対する相異なる使用可能な値との少なくともいずれかを含む。
【００７４】
１つ以上の実施形態において、設定情報は、報告ノードが合同マッピングを用いて無線信号測定の結果を報告すべきかと、報告ノードが、代わりに単一マッピングを用いて無線信号測定の結果を報告すべきかと、の少なくともいずれかを示す。例えば、単一マッピングは、単一の報告変量に対する相異なる使用可能な値を、無線信号測定の報告される結果に対する相異なる使用可能な値へマッピングする。
【００７５】
１つ以上の実施形態では、設定情報は、報告ノードが合同マッピングを用いて無線信号測定の結果を報告すべき１つ以上の条件を指示する。例えば、条件は、合同マッピングを送信することを動的に決定することに関する条件を含む。例えば、設定情報は、報告ノードが合同マッピングを用いて無線信号測定の結果を報告すべき、無線信号測定の種類又は目的を含む。
【００７６】
１つ以上の実施形態において、例えば説明した報告ノード１１０又は受信者ノード１２０において実行される方法として、無線信号測定はロングタームエボリューション（ＬＴＥ）システム又はＬＴＥから進化したシステムにおける測位測定である。
【００７７】
ここで説明した１つ以上の実施形態は、標準化される環境（例えば３ＧＰＰ標準化）において技術を進化させることを伴うシステムにおいて利点を提供する。新たな配置の種類、新たな特徴及び無線技術の利点を用いて、ここで教示される実施形態は、測定報告の分解能を増やし又は範囲をより小さく若しくはより広い値又はその両方に拡張するための、測定報告の更新を可能とする。例えば、屋内測位は、現在、報告される測定において、現在の３ＧＰＰで標準化された測位報告マッピングが提供するよりも、良好な精度を要求する。ここでの実施形態は、機能強化された精度をサポートするための最新の測位報告を可能とする。当業者は、それらが単なる例であり、ここでの教示を限定しないことを理解するだろう。
【００７８】
図１０は、第１のノード（例えば報告ノード１１０）における第２のノード（例えば受信者ノード１２０）へ測定結果を送信するための方法の観点で、ここでの１つ以上の更なる実施形態を図解している。図のように、本方法は、測定結果を取得すること（ブロック１００２）（例えば、無線測定を実行すること又は他のノードから測定結果を受信すること）を含む。本測定は、任意の測定でありうる。また、方法は、合成測定報告マッピングを用いて、合成測定結果を生成すること（ブロック１００４）を含む。合成測定報告マッピングは、単一の測定結果を合同で表す少なくとも２つの報告されるレベルを含む。方法は、合成される測定報告を用いて、少なくとも１つの測定結果を第２のノードへ送信すること（ブロック１００６）をさらに含む。他の実施形態では、ステップの順序が異なるか、追加のステップを含むか、又はその両方である。
【００７９】
これらの実施形態に対してより具体的には、合成測定結果マッピングは、単一の測定結果（例えばＭ）を合同で表す少なくとも２つの報告されるレベル（例えばＲ１及びＲ２）を含む。いくつかの実施形態において、報告される測定結果（例えばＲ）は、Ｒ１及びＲ２の関数：Ｒ＝ｆ（Ｒ１、Ｒ２）として一意に導出される。しかしながら、単一の値Ｒにマッピングすることができる（Ｒ１、Ｒ２）の１つ以上の組み合わせが存在しうる。また、ＭとＲとの間の関係が存在する。例えば、Ｒは、最も近い整数、Ｒ＜Ｍとなるような最も近い整数、Ｒ＞Ｍとなるような最も近い整数、所定のテーブルからの最も近い値等に丸めることによって、Ｍから導出されてもよい。したがって、本関係は、以下のように、より一般的に説明されうる：
Ｍ→Ｒ→（Ｒ１、Ｒ２、...、Ｒｎ）、
Ｒ＝ｆ（Ｒ１、Ｒ２、...、Ｒｎ）
【００８０】
合成される測定報告は、合成測定報告マッピングに基づく。用語「合成測定報告マッピング」又は「合成測定報告範囲」は、複数レベル（又はＭレベル）報告マッピング又は合成報告マッピングと、相互交換可能に呼ばれうる。
【００８１】
１つの実施形態において、Ｒ１は参照レベルであり、Ｒ２はその参照レベルに対する相対レベルである。例えば、Ｒは、数学的に、Ｒ＝Ｒ１＋Ｒ２又はＲ＝Ｒ１−Ｒ２のように表されうる。
【００８２】
別の実施形態では、Ｒ１は第１の所定のテーブルに基づき、Ｒ１は、（第１のテーブルから）Ｍに最も近いレベルであり、Ｒ２はＲ＝Ｒ１＋Ｒ２となるように第２の所定のテーブルに基づき、ここでＲは組合せ（Ｒ１、Ｒ２）の間でＭに最も近いレベルである。
【００８３】
このように、（Ｒ１、Ｒ２）の選択は、例えばＭとＲとの間の絶対差を最小化するように説明されうる：
ａｂｓ（Ｍ−Ｒ）＝ａｂｓ（Ｍ−（Ｒ１、Ｒ２））→ｍｉｎ
【００８４】
また別の実施形態では、（Ｒ＝ｆ（Ｒ１、Ｒ２）である場合の）Ｒ２は、Ｒが第１のテーブルのみに基づく（例えばＲ＝ｆ（Ｒ１））である場合と比して、測定値Ｍを表すための報告可能な値の分解能を増やすのに使用される。すなわち、第１のテーブルは、Ｒ１'＜Ｒ１＜Ｒ１''かつＲ１'＜Ｒ１＜ｆ（Ｒ１、Ｒ２）＜Ｒ１''となるような、少なくとも１つのＲ１'及び１つのＲ１''を含む。
【００８５】
また別の例では、Ｒ２は、測定値Ｍを表すために報告可能な値の上側の範囲を拡張するのに用いられる。すなわち、ｆ（Ｒ１、Ｒ２）＞Ｒ１＝ｍａｘ｛Ｒ１'｝であり、ここで、ｍａｘ｛Ｒ１'｝は第１のテーブルからの最大値である。また別の例では、Ｒ２は、測定値Ｍを表すために報告可能な値の下側の範囲を拡張するのに用いられる。すなわち、ｆ（Ｒ１、Ｒ２）＜Ｒ１＝ｍｉｎ｛Ｒ１'｝であり、ここで、ｍｉｎ｛Ｒ１'｝は第１のテーブルからの最少値である。
【００８６】
上で説明したように、図５Ａ〜図５Ｃ及び図６Ａ〜図６Ｂは、合成測定報告マッピングの例をも表す。
【００８７】
いくつかの実施形態では、第１のノードは、測定値を報告するために、常に、合成測定報告を送信する。別の実施形態では、第１のノードは、それを行うことを選択的に決定する。図１０に示すように、例えば、いくつかの実施形態の第１のノードにおける方法は、さらに、測定結果を、合成測定報告マッピングを用いて送信するか単一測定報告マッピングを用いて送信するかを判定することを含む。本判定は、１つ以上の基準に基づきうる。例えば、判定基準は、測定タイプ、例えば、ＯＴＤＯＡ  ＲＳＴＤのための合成報告を用いること、任意の測定測定のための合成報告を用いること、を含みうる。判定基準は、代わりに又は追加的に、他のノードからの受信測定要求又は他のシグナリングを含みうる。判定基準は、代わりに又は追加的に、測定品質又は測定精度と、測位品質又は測位精度との少なくともいずれかを含みうる。判定基準は、代わりに又は追加的に、測定に対する要求、例えば、測定精度が閾値より悪い場合と信号品質が閾値を下回った場合との少なくともいずれかの場合に合成報告を使用すること、を含んでもよい。これは、より小さい量子化誤差に起因する全体の誤差を小さくすることを確実にするためである。例えば、ＲＳＲＰがＳＩＮＲ≦＜−３ｄＢで測定された場合、第１のノードは、常に、合成測定報告マッピングを用いて報告を送信する。判定基準は、代わりに又は追加的に、測定の目的を含みうる（例えば測定が目的Ａを対象とする場合により高い精度の一方でより悪い精度が目的Ｂに対して受付可能でありうる）。例えば、基準は、特定の目的のために測定が用いられるかを含みうる。このような目的の例は、測位又は屋内測位や緊急呼のための測位、より高い信頼性を要求する重大なＭＴＣなどの特定の種類の測位等である。判定基準は、代わりに又は追加的に、環境タイプ又は配置シナリオ、例えば屋内、屋外、小セル、ダイセル、郊外又は地方、都会を含みうる（例えば、屋内環境においてより高い精度及び合成測定報告が用いられうる）。
【００８８】
判定基準は、代わりに又は追加的に、無線条件または無線環境、例えば、マルチパスのより大きい遅延スプレッドを伴う無線チャネル、より高いドップラーを伴う無線チャネル、を含みうる。例えば、第１のノードは、無線条件がより困難又は厳しい、例えば遅延スプレッドが閾値を超えるかドップラースプレッドがより高いかの少なくともいずれかである場合に、より良好な分解能を可能とするために合成報告測定報告マッピングを用いうる。これは、より厳しい条件の下では測定精度が悪くなるからである。
【００８９】
判定基準は、代わりに又は追加的に、第１のノードのリリースを含みうる（例えばリリースＮのみから合成測定報告マッピングが使用され、一方で単一測定報告マッピングはリリースＮより前に用いられる）。判定基準は、受信ノードの種類、例えば、報告を受信するターゲットノードがＵＥであるかネットワークノードであるか、を含みうる。
【００９０】
判定基準は、代わりに又は追加的に、レベル（Ｒ１、Ｒ２、...、Ｒｎ）のうちの少なくとも１つが１つ以上の条件を満たす又は測定が実行された無線条件の少なくとも１つの特性が１つ以上の基準を満たすかを含みうる（例えば、ＲＳＲＰ＞−７０ｄＢｍに対して又はＲＳＲＱ＞−６ｄＢに対して又はＲｘ−Ｔｘ＜１０００Ｔｓに対してより良好な精度など、より良好な無線条件において実行される測定に対しては良好な制度が必要とされうるし、より悪い無線条件に対して典型的な測定に対してはより悪い精度が容認されうる）。
【００９１】
判定基準は、代わりに又は追加的に、測定結果をシグナリングするための利用可能なリソース又はオーバーヘッドを含みうる。例えば、測定結果を報告するために十分なリソースがある場合に、合成報告を使用する。そうでない場合、限られたリソース歯科ない場合には、第１のノードは、単一測定報告マッピングを使用しうる。
【００９２】
また、ここでの実施形態は、第２のノード（例えば受信者ノード１２０）における対応する方法を含む。この点において、図１１は、このような方法を示している。本方法は、例えばＲＲＣ、ＬＰＰ、ＬＰＰａ、Ｘ２に独自のプロトコルなどの上位レイヤを介して、第１のノードから合成測定報告を受信すること（ブロック１１０２）を含む。合成測定報告は、単一の測定結果を合同で表す少なくとも２つの報告されるレベルを含んだ合成測定報告マッピングに基づきうる。また、本方法は、１つ以上の動作タスクのために受信した報告を使用すること（ブロック１１０４）を含む。
【００９３】
１つの実施形態において、例えば、第２の（受信）ノードは、受信した合成測定報告（例えば、Ｒ１及びＲ２を含む）から、報告測定値（例えばＲ）を導出し又は組み立て、導出または組み立ての結果を１つ以上の動作タスクのために使用しうる。
【００９４】
別の実施形態において、第２の（受信）ノードは、１つ以上の動作タスクのために、受信した合成測定報告からの値を直接使用し（例えばＲ１及びＲ２を用いると共にＲを導出しなく）てもよい。
【００９５】
この点において、動作タスクのいくつかの例は、第１のノードの位置を判定すること、抽出された値（例えばＲ１とＲ２）及び受信した測定報告から導出された値（例えばＲ）のうちの少なくとも１つを内部又は外部のデータベースに格納すること、また別のノードへシグナリングすること、モビリティ、例えばセル変更、ハンドオーバ等を実行するために結果を使用すること、ＲＲＭ動作（例えばスケジューリング、電力制御、アドミッション制御に関する１つ以上のパラメータを調整すること）、ＳＯＮ（例えば、送信電力レベルなどのネットワークノードで使用されるパラメータのチューニング）、および／または、（例えば新しいノードのネットワーク計画及び配置、既存ノードのアップグレードなどのための）ＭＤＴ、を含みうる。これらの動作については後に詳述する。
【００９６】
図１１に示すように、いくつかの実施形態において、第２のノードにおける方法は、さらに、第１のノードへ測定要求を、又は測定報告設定を送信すること（ブロック１１０６）を含みうる。それに対応して、図１０は、第１のノードにおける方法が、さらに、測定要求又は測定報告設定を受信すること（ブロック１０１０）を含みうることを示している。
【００９７】
１つ以上の実施形態において、測定要求は、測定設定、測定を実行するための補助データ、所望の又は要求される測定精度、又は測位精度、測位方法などの１つ以上を含む。
【００９８】
１つ以上の実施形態において、測定要求は、測定報告に関する少なくとも１つのパラメータを含む。１つの例において、要求は、どのように測定が報告されるべきか、例えば合成マッピングを用いるか否か、を示す。すなわち、パラメータは、測定報告が単一測定報告マッピングと合成測定報告マッピングとのいずれに基づくべきかを示しうる。さらなる例において、パラメータは、２進数のインジケータである。
【００９９】
ここでの実施形態は、さらに、第２のノード又は異なるノードでありうる設定ノードによって実行される方法を含む。図１２に示すように、本方法は、第２のノードへ、少なくとも１つの測定結果を、合成測定報告マッピングを用いて送信するべきか単一測定報告マッピングを用いて送信するべきかを判定すること（ブロック１２０２）を含む。ブロック１２０２における第３のノードの判定は、ブロック１００８における第１のノードの判定について上述したように、実行されうる。いずれにしても、方法は、その判定に基づいて、第１のノードが合成又は単一測定報告マッピングを用いて測定結果を送信することを可能とするための情報を用いて、第１のノードを設定することをも含む（ブロック１２０４）。
【０１００】
第１のノード、第２のノード、及び第３のノードのいくつかの例は、無線機器又は無線ネットワークノード若しくは概して無線ノード；ネットワークノード；測定ノード（すなわち、無線測定を自装置で実行することができるノード）；他のノードから無線測定結果を受信する（しかしながら自装置で無線測定を実行することができる必要はない）ノードを含む。なお、第２のノードと第３のノードは、同じであってもよいし同じでなくてもよい。
【０１０１】
上に基づいて、（第１のノード；第２のノード；第３のノード）の任意の組み合わせ、例えば：（ＵＥ；ｅＮｏｄｅＢ；ｅＮｏｄｅＢ）、（ＵＥ；測位ノード；測位ノード）、（ＵＥ；測位ノード；ｅＮｏｄｅＢ）、（ｅＮｏｄｅＢ；ｅＮｏｄｅＢ；Ｏ＆Ｍ又は調整ノード）、などが利用可能であるとみなすことができる。いくつかの実施形態では、組み合わせ（第１のノード；第２のノード）のみを適用する。
【０１０２】
１つ以上の実施形態は、（i）ＵＥ及びネットワークノードが合成測定報告を使用すること；（ii）平均してシグナリングオーバーヘッドを低減すること；（iii）進化した測定報告マッピングの標準化を単純化すること、例えば、既存の範囲を越えてマッピングを拡張すること又はより細かい精度の測定報告を可能とすること；（iv）報告される測定結果の適応的分解能、すなわち、合成報告マッピングの効果により、結果が、より高精度を要求するタスク、例えば緊急サービス等のための測位などに要求される場合に、同一の測定結果がより良好な精度又は分解能で報告可能であること、を含んだ利点を提供する。他方、結果は、シグナリングオーバーヘッドの小さい単一報告マッピングを用いて報告可能である。
【０１０３】
なお、下記の任意の２つ以上の実施形態が、各々、任意の方法で組み合わせられうる。
【０１０４】
後述のように、１つ以上の実施形態が、特定の文脈で適用可能である。例えば、１つ以上の実施形態に関して説明される方法で報告されうる特定の測定種類が説明される。
【０１０５】
例えば、ＬＴＥの文脈において実施形態が説明されるが、実施形態はＬＴＥに限定されず、任意の無線アクセスネットワーク（ＲＡＮ）、単一ＲＡＴ又はマルチＲＡＴを用いて適用しうる。いくつかの他のＲＡＴ例は、ＬＴＥ−Ａｄｖａｎｃｅｄ、ＵＭＴＳ、ＨＳＰＡ、ＧＳＭ（登録商標）、ｃｄｍａ２０００、ＷｉＭＡＸ、及びＷｉＦｉである。
【０１０６】
無線測定は、無線ノード（例えばＵＥ、ｅＮｏｄｅＢ、又はＬＭＵ）によって、受信無線信号上で行われる。ＬＴＥにおいて、測定は、様々な目的、例えば、ＲＲＭ、モビリティ、測位、ＳＯＮ、ＭＤＴなどのために行われる。同一の測定が、１つ以上の目的で実行されうる。さらに、測定は、例えば所定時間および／または周波数パターン（例えば測定ギャップパターン、ＤＬおよび／またはＵＬ測定に対する時間領域測定リソース制限パターン、ＣＡを伴うＳＣｅｌｌ上での測定に対する測定サイクルパターン等）に従って実行される、パターンに基づく測定であってもよい。また、測定は、所定の帯域幅にわたって（例えば、ワイドバンドＲＳＲＱ測定又はシステム帯域幅より小さくてもよい設定された測定帯域幅にわたって実行される測定）実行されてもよい。測定は、ＣＡを伴っても伴わなくてもよい（ＣＡの詳細に対するマルチキャリアネットワークの節を参照）。
【０１０７】
ＬＴＥに対しては、ほとんどの物理レイヤ測定が、３ＧＰＰ  ＴＳ３６．２１４において仕様化されている。また、３ＧＰＰ  ＴＳ３６．３１４において仕様化されているレイヤ２の測定が存在しうる。
【０１０８】
ＵＥ測定は、周波数内／周波数間、ＲＡＴ内／ＲＡＴ間、帯域内／帯域間として分類される。全てのＵＥがＲＡＴ内測定をサポートし、関連する要求を満たすことが一般的である。しかしながら、帯域間及びＲＡＴ関測定は、呼設定の間にネットワークに報告されるＵＥ能力である。
【０１０９】
ｅＮｏｄｅＢに対しては、ｅＮｏｄｅＢが、全ての宣言された周波数、ＲＡＴ、及び周波数帯域にわたって、複数のＵＥに対する測定を実行することができることが通常想定される。しかしながら、これは、（そのときｅＮｏｄｅＢの実装が広範囲のシナリオをカバーする必要があるため）ｅＮｏｄｅＢにとってコストが高く、宣言された設定にわたって全ての測定の組み合わせを実行するために高い複雑性を要求する。
【０１１０】
１つ以上の実施形態は、ＬＴＥ内のモビリティ測定（周波数内、周波数間、ＣＡ）の結果：（i）ＲＳＲＰ、（ii）ＲＳＲＱ、（iii）ＲＳ−ＳＩＮＲを含む。
【０１１１】
１つ以上の実施形態は、ＲＡＴ間モビリティ測定の結果：（i）ＵＴＲＡＮ  ＣＰＩＣＨ  ＲＳＣＰ；（ii）ＵＴＲＡＮ  ＣＰＩＣＨ  Ｅｃ／Ｎｏ；（iii）ＧＳＭ（登録商標）キャリアＲＳＳＩ；（iv）ＣＤＭＡ２０００パイロット強度；（v）ＨＲＰＤパイロット強度を含む。
【０１１２】
タイミング測定のいくつかの例は、ＲＴＴ、ＴＯＡ、ＵＬ  ＲＴＯＡ、ＴＤＯＡ、ＲＳＴＤ、ＵＥ  Ｒｘ−Ｔｘ、ｅＮｏｄｅＢ  Ｒｘ−Ｔｘ、ＳＦＮ−ＳＦＮタイミング、片側伝搬遅延、タイミングアドバンス測定である。
【０１１３】
リリース９からの拡張されたセルＩＤ及びＯＴＤＯＡ測位方法を伴って、以下の測位測定：ＯＴＤＯＡ、ＲＳＲＰ、及びＲＳＲＱに対する、ＵＥ  Ｒｘ−Ｔｘ時間差測定、ｅＮｏｄｅＢ時間差測定、タイミングアドバンス（ＴＡ）測定、到来角（ＡｏＡ）、参照信号時間差（ＲＳＴＤ）、が使用可能である。
【０１１４】
ＬＴＥにおける屋内測位に関連して、いくつかの新しい測定、例えばＷｉＦｉ及びＢｌｕｅｔｏｏｔｈ（登録商標）のＲＳＳＩ測定、大気圧測定、ビーコンによって送信され（例えば地上波ビーコンシステム送信機）エミュレートされた信号に基づく測定も、現在議論されている。
【０１１５】
駆動テストの最小化（ＭＤＴ）の特徴は、ＬＴＥ及びＨＳＰＡのリリース１０において導入されている。ＭＤＴの特徴は、ネットワーク計画及び最適化のための情報を集める際のオペレータの尽力を減らすための手段を提供する。ＭＤＴの特徴は、ＵＥが様々な種類の測定、イベント、及びカバレッジに関する情報の記録を取り、取得することを要求する。記録が取られ又は収集された測定値又は関連する情報は、その後、ネットワークに送信される。これは、オペレータが同様の情報を所謂駆動テスト及び手動ロギングを用いて収集する必要がある従来のアプローチと対照的である。ＭＤＴは、ＴＳ３７．３２０に説明されている。
【０１１６】
ＵＥは、接続されている間に、そしてアクティビティの低い状態、例えばＵＴＲＡ／Ｅ−ＵＴＲＡにおけるアイドル状態、ＵＴＲＡにおけるｃｅｌｌ  ＰＣＨ状態などにおいて、測定値を収集することができる。
【０１１７】
測定報告は、サービングセル及び隣接セルに対する測定結果、周波数内／周波数間／ＲＡＴ間、タイムスタンプ及び位置情報または無線フィンガープリント測位で構成される。測定値は、アイドル状態（ログドＭＤＴ）又は接続状態（即時ＭＤＴ）において収集されうる。即時ＭＤＴに対して、ｅＮｏｄｅＢ測定値も、ＭＤＴ報告に含められうる。
【０１１８】
ＭＤＴに対する測定報告の種類は、（i）モビリティ測定、例えば、Ｅ−ＵＴＲＡに対するＲＳＲＰ及びＲＳＲＱ、ＵＴＲＡに対するＲＳＣＰ及びＥｃ／Ｎｏ、ＣＤＭＡ２０００に対するパイロットＰｎ位相及びパイロット強度など；（ii）無線リンク障害報告；（iii）送信されたランダムアクセスプリアンブルの数、最大送信電力が使用されたかのインジケーション、Ｍｓｇ３の送信された回数、検出されたコンテンションの回数；（iv）ＵＥによる電力ヘッドルーム測定［ＴＳ３６．２１４］；（v）ｅＮｏｄｅＢによる受信干渉電力測定［ＴＳ３６．２１４］；（vi）ｅＮｏｄｅＢによる、ＤＬ及びＵＬに対して別個の、データ量測定；（vii）ｅＮｏｄｅＢによる、ＤＬ及びＵＬに対して別個の、スケジューリングされたＩＰスループット［ＴＳ３６．３１４］、を含む。
【０１１９】
Ｅ−ＵＴＲＡＮは、自己組織化ネットワーク（ＳＯＮ）の概念を採用する。ＳＯＮエンティティの目的は、オペレータがネットワークパラメータを自動で計画及びチューニングしてネットワークノードを構成することを可能とすることである。
【０１２０】
従来の方法は、大量の時間、リソースを消費するとともに大量の労働者を巻き込むことを必要とする手動チューニングに基づく。特に、ネットワークの複雑性、多数のシステムパラメータ、ＩＲＡＴ技術などに起因して、必要な場合にいつでもネットワークを自動的に設定することができる信頼性を有する手法及び機構を有することは非常に魅力的である。これは、自動ネットワークチューニング、設定、パラメータ設定等のタスクを実行するアルゴリズム及びプロトコルのセットとして可視化されうるＳＯＮによって、実現可能である。これを完遂するために、ＳＯＮノードは、他のノード、例えばＵＥ、基地局などからの測定報告及び結果を要求する。
【０１２１】
実施形態は、機器によって、他の機器によって送信された無線信号に基づいて実行される無線測定を含む。このような測定は、ピアツーピア／Ｄ２Ｄ／ＰｒｏＳｅ測定とも呼ばれる。
【０１２２】
いくつかの測位方法は、無線機器又はＵＥ、モバイルリレー、ＰＤＡ、マシンタイプ通信（別名マシンツーマシン通信）のための無線機器、ラップトップマウンティング無線機器若しくは装置などのいずれかでありうる、ターゲット機器の位置を判定することのために存在する。ターゲット機器の位置は、適切な測定ノード又はターゲット機器によって実行可能な１つ以上の測位測定を用いることによって判定される。使用される測位方法に応じて、測定ノードは、ターゲット機器自身、別個の無線ノード（すなわちスタンドアロンノード）、ターゲット機器のサービングノードおよび／または隣接ノードなどのいずれかでありうる。また、測位方法に応じて、測定は、１つ以上の種類の測定ノードによって実行されうる。
【０１２３】
ＬＴＥアーキテクチャは、コアネットワーク（すなわち、モビリティ管理エンティティ（ＭＭＥ））に所謂ＬＣＳ−ＡＰインタフェースを介して接続されるエボルブド・サービング・モバイル・ロケーション・センタ（Ｅ−ＳＭＬＣ）と、標準化されたＬｇインタフェースを介してＭＭＥに接続されるゲートウェイ・モバイル・ロケーション・センタ（ＧＭＬＣ）を定義することにより、明示的に位置サービスをサポートしている。ＬＴＥシステムは、ＲＡＮのカバレッジエリア内のターゲット機器（例えばＵＥ）の位置を探すための一連の方法をサポートする。これらの方法は、精度及び利用可能性が異なる。典型的には、衛星に基づく方法（アシステッドＧＮＳＳ）は（数）メートルの分解能を有し正確であるが、屋内環境では利用可能でない可能性がある。一方、セルＩＤに基づく方法は、大幅に正確ではないが、利用可能性は高い。したがって、ＬＴＥは、測位のための主たる方法としてＡ−ＧＰＳを用いて、一方で、セルＩＤ及びＯＴＤＯＡに基づく手法が、フォールバック方法の役割をする。
【０１２４】
ＬＴＥでは、測位ノード（別名Ｅ−ＳＭＬＣ又は位置サーバ）が、測位方法に応じて１つ以上の測位測定を実行するために測位測定（例えばＬＭＵ）に対して専用のターゲット機器（例えばＵＥ）、ｅＮｏｄｅＢ、又は無線ノードを設定する。測位測定は、ターゲット機器によって又は測定ノードによって又は測位ノードによって、ターゲット機器の位置を判定するために使用される。ＬＴＥでは、測位ノードは、ＬＴＥ測位プロトコル（ＬＰＰ）を用いてＵＥと、ＬＴＥ測位プロトコルアネックス（ＬＰＰａ）を用いてｅＮｏｄｅＢと、通信する。
【０１２５】
ＬＴＥ測位アーキテクチャにおける３つの主要なネットワーク要素は、ＬＣＳクライアント、ＬＣＳターゲット、及びＬＣＳサーバである。ＬＣＳサーバは、測定値及び他の位置情報を収集して、必要に応じて端末における測定を補助し、ＬＣＳターゲット位置を推定することによって、ＬＣＳターゲット機器に対する測位を管理する物理又は論理エンティティＬＣＳクライアントは、１つ以上のＬＣＳターゲット、すなわち即位されるエンティティのための位置情報を取得するためにＬＣＳサーバと相互作用する、ソフトウェアおよび／またはハードウェアエンティティである。ＬＣＳクライアントは、ＬＣＳターゲットそのものの中に存在してもよい。ＬＣＳクライアントは、位置情報を取得するための要求をＬＣＳサーバへ送信し、ＬＣＳサーバは、受信した要求を処理して取り扱い、測位結果及びオプションとして速度推定値をＬＣＳクライアントへ送信する。測位要求は、端末又はネットワークノード若しくは外部クライアントから開始される。
【０１２６】
１つ以上の実施形態が適用する例示のＬＴＥ測位アーキテクチャを図１３に示す。図１３において、システム１０は、ＵＥ１２、無線アクセスネットワーク（ＲＡＮ）１４、及びコアネットワーク１６を含む。ＵＥ１２は、ＬＣＳターゲットを有する。コアネットワーク１６は、いずれもがＬＣＳサーバを有しうる、Ｅ−ＳＭＬＣ１８および／またはＳＬＰ２０を含む。Ｅ−ＳＭＬＣ１４を端点として用いる制御プレーンの測位プロトコルは、ＬＰＰ、ＬＰＰａ、及びＬＣＳ−ＡＰを含む。ＳＬＰ１６を端点として用いるユーザプレーンの測位プロトコルは、ＳＵＰＬ／ＬＰＰ、及びＳＵＰＬを含む。図解されていないが、ＳＬＰ２０は、２つの要素、相異なるノードに存在しうるＳＵＰＬ測位センタ（ＳＰＣ）及びＳＵＰＬ位置センタ（ＳＬＣ）を含みうる。例示の実装において、ＳＰＣは、Ｅ−ＳＭＬＣとの独自のインタフェースと、ＳＬＣとのＬｌｐインタフェースを有する。ＳＬＰのＳＬＣ部分は、Ｐ−ＧＷ（ＰＤＮゲートウェイ）２２及び外部のＬＣＳクライアント２４と通信する。
【０１２７】
別の例を図１４に描画する。図１４は、ＵＬ測位（例えばＵＴＤＯＡ）のためのアーキテクチャを図解している。ＵＬ測定は、原理的に、無線ネットワークノード（例えばｅＮｏｄｅＢ）によって実行されうるが、ＵＬ測位アーキテクチャは、例えば論理および／または物理ノードでありうる、無線基地局と一体化し又はソフトウェアまたはハードウェア設備を無線基地局と共有していてもよく、又は、（アンテナを含む）独自の設備を伴って完全にスタンドアロンであってもよい、特定のＵＬ測定ユニット（例えばＬＭＵ）を含みうる。Ｅ−ＳＭＬＣ及びＬＭＵの間にインタフェースＳＬｍが存在する。インタフェースは、測位サーバ（Ｅ−ＳＭＬＣ）及びＬＭＵとの間で終端される。これは、Ｅ−ＳＭＬＣ−ｔｏ−ＬＭＵインタフェースを介して、ＳＬｍＡＰプロトコル（ＵＬ測位のために特定されている新しいプロトコル）メッセージを運ぶのに用いられる。いくつかのＬＭＵ配置オプションを利用可能である。例えば、ＬＭＵは、スタンドアロン物理ノードであってもよく、ｅＮｏｄｅＢの中に統合されてもよいし、アンテナなどの少なくとも一部の設備をｅＮｏｄｅＢと共有していてもよく、これらの３つのオプションが、図８に図解されている。
【０１２８】
測位測定は、ＤＬ無線信号（例えばＣＲＳ又はＰＲＳ）又は無線ネットワークノードによって送信される信号、ＵＬ無線信号（例えばサウンディング参照信号、ＳＲＳ）又は無線機器によってネットワークへ送信された信号、又は衛星無線信号において行われうる。測定は、周波数内、周波数間、又はＲＡＴ間でありうる。測位測定は、無線機器、無線基地局、又は他の無線ノード（例えばＬＭＵ）でありうる測定ノードによって実行される。
【０１２９】
位置計算は、例えば、測位サーバ（例えばＬＴＥにおけるＥＳＭＬＣ又はＳＬＰ）又はＵＥによって実行可能である。前者のアプローチは、ＵＥ測定に基づく場合にＵＥアシストの測位モードに対応し、後者はＵＥベースの測位モードに対応する。
【０１３０】
なお、無線機器とＵＥは、説明において交換可能に用いられる。ＵＥは、無線インタフェースを備えると共に少なくとも無線信号を生成して無線ネットワークへ送信することができる機器を含む。なお、いくつかの無線ネットワークノード、例えば、リレー、ＬＭＵ、又はフェムトＢＳ（別名ホームＢＳ）であっても、ＵＥ同様のインタフェースを備えうる。一般的な意味で理解されるべき「ＵＥ」のいくつかの例は、ＰＤＡ、ラップトップ、モバイル、センサ、固定リレー、モバイルリレー、タブレット、ＭＴＣ、又はＭ２Ｍの各機器、ＵＥ同様のインタフェースを備えた無線ネットワークノード（例えば、小ＲＢＳ、ｅＮｏｄｅＢ、フェムトＢＳ）である。
【０１３１】
無線ノードは、無線信号を送信および／または受信するその能力によって特徴付けられ、少なくとも送信または受信アンテナを有する。無線ノードは、ＵＥ又は無線ネットワークノードを含む。無線ノードの一部の例は、無線基地局（例えばＬＴＥにおけるｅＮｏｄｅＢ又はＵＴＲＡＮにおけるＮｏｄｅＢ）、リレー、モバイルリレー、リモート無線ユニット（ＲＲＵ）、リモートラジオヘッド（ＲＲＨ）、タブレット、ＭＴＣ又はＭ２Ｍデバイス、センサ、ビーコン機器、測定ユニット（例えばＬＭＵ）、ユーザ端末、ＰＤＡ、モバイル、ｉＰｈｏｎｅ（登録商標）、ラップトップなどである。
【０１３２】
測定ノードは、無線信号において測定を実行する無線ノードである。実施形態に応じて、測定ノードは、ＤＬ信号（例えば、ＵＥ同様のインタフェースを備えた無線機器又はネットワークノード、リレーなど）又はＵＬ信号（例えば一般的に無線ネットワークノード、ｅＮｏｄｅＢ、ＷＬＡＮアクセスポイント、ＬＭＵなど）において測定を実行しうる。
【０１３３】
無線ネットワークノードは、無線通信ネットワークに含まれる無線ノードであり、それ自身の又は関連付けられたネットワークアドレスによって一般的に特徴づけられる。例えば、セルラネットワークのモバイル設備は、ネットワークアドレスを有しないが、アドホックネットワークに含まれる無線機器はネットワークアドレスを有する可能性が高い。無線ノードは、１つ以上の周波数において動作し又は無線信号を受信し又は無線信号を送信することができてもよく、単一ＲＡＴ、マルチＲＡＴ、又はマルチスタンダードモードで動作してもよい（例えば例示のデュアルモードユーザ端末は、ＷｉＦｉ及びＬＴＥ又はＨＳＰＡ及びＬＴＥ／ＬＴＥ−Ａの任意の１つまたは組み合わせを用いて動作しうる）。ｅＮｏｄｅＢ、ＲＲＨ、ＲＲＵ又は送信のみ／受信のみノードを含んだ無線ネットワークノードは、自身のセルを生成してもよいし生成しなくてもよく、いくつかの例において、送信機および／または受信機および／または１つ以上の送信アンテナ又は１つ以上の受信アンテナを含んでもよく、アンテナは、必ずしも同一場所に配置されない。また、無線ネットワークノードは、独自のセルを生成している他の無線ノードとセルを共有してもよい。１つより多くのセルが、１つの無線ノードに関連付けられてもよい。さらに、（ＤＬおよび／またはＵＬにおける）１つ以上のサービングセルが、例えば、ＵＥが１つのプライマリセル（ＰＣｅｌｌ）と１つ以上のセカンダリセル（ＳＣｅｌｌ）を有しうるキャリアアグリゲーションシステムにおいて、ＵＥのために構成されてもよい。さらに、（ＤＬおよび／またはＵＬにおける）１つ以上のサービングセルが、マルチコネクティビティシステムにおいて、例えば、ＵＥが第１のネットワークノードからの少なくとも１つのプライマリセル（ＰＣｅｌｌ）と第２のネットワークノードからの少なくとも１つのプライマリセカンダリセル（ＰＳＣｅｌｌ）及びオプションとして第１のネットワークノードおよび／または第２のネットワークノードからの１つ以上のセカンダリセル（ＳＣｅｌｌ）を有しうるデュアルコネクティビティ（ＤＣ）システムにおいて、ＵＥに対して設定されうる。
【０１３４】
ネットワークノードは、任意の無線ネットワークノード又はコアネットワークノードを含む。ネットワークノードのいくつかの非制限的な例は、ｅＮｏｄｅＢ、ＲＮＣ、測位ノード、ＭＭＥ、ＰＳＡＰ、ＳＯＮノード、ＭＤＴノード、（通常、しかしながら必須ではなく）調整ノード、及びＯ＆Ｍノードである。
【０１３５】
様々な実施形態において説明される測位ノードは、測位機能を伴うノードである。例えば、ＬＴＥに対して、それは、ユーザプレーンにおける測位プラットフォーム（例えばＬＴＥにおけるＳＬＰ）として又は制御プレーンにおける測位ノード（例えばＬＴＥにおけるＥ−ＳＭＬＣ）として、理解されてもよい。また、ＳＬＰは、ＳＬＣ及びＳＰＣからなってもよく、ＳＰＣはＥ−ＳＭＬＣとの独自のインタフェースを有しうる。また、測位機能は、２つ以上のノード間に分離されてもよく、例えば、ＬＭＵとＥ−ＳＭＬＣとの間のゲートウェイノードが存在してもよく、ここで、ゲートウェイノードは無線基地局又は他のネットワークノードであってもよく、この場合、擁護測位ノードは、Ｅ−ＳＭＬＣ及びゲートウェイに関連しうる。テスト環境では、測位ノードは、テスト設備によってシミュレート又はエミュレートされうる。
【０１３６】
様々な実施形態において説明される調整ノードは、無線リソースを１つ以上の無線ノードと調整する、ネットワークおよび／またはノードである。調整ノードのいくつかの例は、ネットワーク監視及び設定ノード、ＯＳＳノード、Ｏ＆Ｍ、ＭＤＴノード、ＳＯＮノード、測位ノード、ＭＭＥ、パケットデータネットワークゲートウェイ（Ｐ−ＧＷ）又はサービングゲートウェイ（Ｓ−ＧＷ）ネットワークノード又はフェムトゲートウェイノードなどのゲートウェイノード、それと関連付けられたより小さい無線ノードを調整するマクロノード、他のｅＮｏｄｅＢとリソースを調整するｅＮｏｄｅＢなどである。
【０１３７】
ここで説明されるシグナリングは、直接リンク又は論理リンクを介した（例えば上位レイヤプロトコルを介したおよび／または１つ以上のネットワークと無線ノードとの少なくともいずれかを介した）シグナリングを含む。例えば、調整ノードからのシグナリングは、他のネットワークノード、例えば無線ネットワークノードを通過しうる。
【０１３８】
測定値は、ＤＬ測定値、ＵＬ測定値、双方向測定値（例えばＲｘ−Ｔｘ又はＲＴＴ）、ピアツーピア又はＤ２Ｄ又はＰｒｏＳｅ測定値などでありうる、例えば以下の２．１．１節で説明されるような、無線信号測定値を含む。
【０１３９】
上述の変更及びバリエーションの観点で、ここでの実施形態は、報告ノード、受信者ノード及び設定ノードをも含むことが理解されるだろう。報告ノードは、例えば任意の機能的手段又はユニットを介して、上述の処理を実行するように構成される。報告ノードは、例えば、報告値を送信するための送信手段又はユニットと、報告設定を受信するためのオプションの受信手段又はユニットを含む。
【０１４０】
また、実施形態は、受信者ノードを含む。受信者ノードは、例えば任意の機能的手段又はユニットを介して、上述の処理を実行するように構成される。報告ノードは、例えば、報告値を送信するための送信手段又はユニットと、報告要求又は設定を送信するためのオプションの送信手段又はユニットを含む。
【０１４１】
また、実施形態は、設定ノードを含む。設定ノードは、例えば任意の機能的手段又はユニットを介して、上述の処理を実行するように構成される。設定ノードは、例えば、報告設定を送信するための送信手段又はユニットと、報告設定を送信することの判定を行うための情報を受信するためのオプションの受信手段又はユニットを含む。
【０１４２】
少なくとも一部の実施形態において、上述のノードは、対応する機能的な手段又はユニットを実行することなどによって、上述の処理を実行するように構成された１つ以上の処理回路を有する。１つの実施形態において、例えば、ノードの処理回路が、個別の回路として機能手段又はユニットを実装する。この点で、回路は、所定の機能的処理を実行するのに専用の回路および／またはメモリと併せて１つ以上のマイクロプロセッサを含みうる。読み出し専用メモリ（ＲＯＭ）、ランダムアクセスメモリ、キャッシュメモリ、フラッシュメモリデバイス、光学記憶装置、などの１つまたはいくつかのタイプのメモリを含んメモリを有する実施形態において、メモリは、実行するための１つ以上のマイクロプロセッサによって実行されるときに、ここで説明される技術を実行するプログラムコードを記憶する。
【０１４３】
図１５は、いくつかの実施形態による報告ノード１５１０をより具体的に図解している。図のように、報告ノード１５１０は、１つ以上の処理回路１５２０、メモリ１５４０、及び送信器回路１５６０を含む。また、報告ノード１５１０は、受信器回路１５８０を含んでもよい。１つ以上の処理回路１５２０は、図２におけるものなどの上述の機能を実行するように、例えば送信器回路１５６０及び受信器回路１５８０を介して、報告ノード１５１０の動作を制御する。
【０１４４】
図１６は、いくつかの実施形態による受信者ノード１６１０をより具体的に図解している。図のように、受信者ノード１６１０は、１つ以上の処理回路１６２０、メモリ１６４０、及び受信器回路１６８０を含む。また、受信者ノード１６１０は、送信器回路１６６０を含んでもよい。１つ以上の処理回路１６２０は、図７におけるものなどの上述の機能を実行するように、例えば送信器回路１６６０及び受信器回路１６８０を介して、受信者ノード１６１０の動作を制御する。
【０１４５】
図１７は、いくつかの実施形態による設定ノード１７１０をより具体的に図解している。図のように、設定ノード１７１０は、１つ以上の処理回路１７２０、メモリ１７４０、及び送信器回路１７６０を含む。また、設定ノード１７１０は、受信器回路１７８０を含んでもよい。１つ以上の処理回路１７２０は、図９におけるものなどの上述の機能を実行するように、例えば送信器回路１７６０及び受信器回路１７８０を介して、設定ノード１７１０の動作を制御する。
【０１４６】
上述の回路は、１つ以上のプロセッサ、ハードウェア回路、ファームフェア又はその組み合わせを含みうる。この点において機器は、１つ以上の揮発性および／または不揮発性のメモリ機器を含んだメモリを有しうる。機器の動作を制御するためのプログラムコードは、読み出し専用メモリ又はフラッシュメモリなどの、不揮発性メモリに記憶されうる。動作の間に生成された一時的データは、ランダムアクセスメモリに記憶されうる。メモリに記憶されたプログラムは、処理回路によって実行されるときに、処理回路に、上で示した方法を実行させる。
【０１４７】
それにより、ここでの実施形態は、ノードの少なくとも１つのプロセッサにおいて実行されるときに、ノードに上の方法を実行させる命令を有したコンピュータプログラムをさらに含む。実施形態は、さらに、このようなコンピュータプログラムを含んだキャリアを含み、キャリアは、電気信号、光学信号、無線信号、又はコンピュータ可読記憶媒体のうちのいずれかである。
【０１４８】
また、実施形態は、当然に、ここで説明されるノードを含んだシステムを含む。
【図１】
0006557778.tif 000002
【図２】
0006557778.tif 000003
【図３Ａ】
0006557778.tif 000004
【図３Ｂ】
0006557778.tif 000005
【図４Ａ】
0006557778.tif 000006
【図４Ｂ】
0006557778.tif 000007
【図４Ｃ】
0006557778.tif 000008
【図４Ｄ】
0006557778.tif 000009
【図４Ｅ】
0006557778.tif 000010
【図５Ａ】
0006557778.tif 000011
【図５Ｂ】
0006557778.tif 000012
【図５Ｃ】
0006557778.tif 000013
【図６Ａ】
0006557778.tif 000014
【図６Ｂ】
0006557778.tif 000015
【図７】
0006557778.tif 000016
【図８】
0006557778.tif 000017
【図９】
0006557778.tif 000018
【図１０】
0006557778.tif 000019
【図１１】
0006557778.tif 000020
【図１２】
0006557778.tif 000021
【図１３】
0006557778.tif 000022
【図１４】
0006557778.tif 000023
【図１５】
0006557778.tif 000024
【図１６】
0006557778.tif 000025
【図１７】
0006557778.tif 000026